(57)【要約】      （修正有）【課題】スプレー、ポンプ、トリガー付き容器において、容易には蓋を開けられない様にした安価ないたずら防止具を提供する。【解決手段】治具とキャップに隙間を空けて全周覆い被せることで、治具を回転してもキャップは回転しない構造を持ち、治具を楕円形にすることで治具蓋を開けて９０度回転し、蓋から下に伸びる板をキャップと治具の狭い隙間に差込むことで、キャップと治具の隙間が埋まり、この部分の抵抗により回す力が伝達され、キャップを開閉することが出来る構造とする。【選択図】図２
0003182268.tif 000002
【実用新案登録請求の範囲】
【請求項１】
スプレー、ポンプ、トリガー付き容器のキャップを回し、容易にキャップを空けることをできなくする構造を持った治具。
【考案の詳細な説明】
【技術分野】
【０００１】  本考案は、容器にスクリュー式ネジ込みで取り付けたスプレー、ポンプ、トリガーを容易に取り外し、いたずらを目的とする改竄を防止する機能を持つ治具に関する。
【背景技術】
【０００２】  従来のスプレー、ポンプ、トリガーは雄スクリュー部を有した容器に対し、雌スクリューキャップ部を有したスプレー、ポンプ、トリガーをねじ込んで取り付けて使用する。以下、図３に従来の製品図を示す。【０００３】  内容物の補充にはスクリューキャップを回転し容器からスプレー、ポンプ、トリガーを取り外して内容物を補充する。以下、図４に従来の操作図を示す。
【先考技術文献】
【特許文献】
【非特許文献】
【考案の概要】
【考案が解決しようとする課題】
【０００４】  上記に述べた従来品ではでは、スプレー、ポンプ、トリガーのスクリューキャップを回転し、容易に容器から取り外し開けられるため、ホテル、ゴルフ場、スパ施設等の浴室、洗面台に装備したトイレタリー、消毒用装備品に対し、一部の利用者により内容物の抜き取り、異物混入などのいたずら行為が発生している。更に、その他の多くの利用者に対し、混入した異物によっては事故につながる危険性も多大である。また、いたずらを防止するために容器の固定、容器をケースに入れ施錠するなどの方法がとられていたが、利用者の使いづらさ、内容物補充の手間、いたずら防止設備費の負担も含め普及が困難であった。【０００５】  本考案は、容器に取り付けたスプレー、ポンプ、トリガーのスクリューキャップにいたずら防止用治具を取り付けることにより、スクリューキャップを容易に取り外せなくすることを目的とするものである。
【課題を解決するための手段】
【０００６】そして、本考案は上記目的を達成するために、容器に取り付けたスプレー、ポンプ、トリガーのスクリューキャップの外側にスクリューキャップと勘合しない治具を設けたものである。【０００７】  また、第２の課題解決手段は、いたずら防止用治具を容易に脱着できる形状を設計したものである。【０００８】  更に、いたずら防止用治具を様々な形状のスプレー、ポンプ、トリガーに取り付け可能にし、低価格で製造できる設計をしたものである。
【考案の効果】
【０００９】  上述したように本考案のいたずら防止用治具は、市販の様々なスプレー、ポンプ、トリガー付き容器に取り付け可能であり、取り付け後はスクリューキャップを回転できないため、いたずら行為による改竄を防止することができ、内容物の補充時には容易に脱着することができる。【００１０】  また、従来のいたずら防止設備に対し、低価格で提供することができる。
【図面の簡単な説明】
【００１１】
【図１】  本考案の治具図
【図２】  本考案の治具脱着図
【図３】  従来品、製品図
【図４】  従来品、内容物補充を行う工程図
【考案を実施するための形態】
【００１２】  以下、本考案の実施の形態を図１に基づいて説明する。
【００１３】図においては、いたずら防止用治具の胴部と蓋部の構造を示し、１は胴部の上面図であり、２と３は胴部の側面の断面図である。
【００１４】  ４は蓋部の上面図であり、５と６は蓋部の側面図である。
【００１５】２の胴部内径Ａと外径Ａに対し３の内径Ｂと外径Ｂは小さく、５の蓋部外径Ｃに対し６の外径Ｄは小さく、胴部と蓋部は楕円形である。
【００１６】  ４の蓋部には７の開口部があり、８は蓋部から下に伸びる板であり、上部が厚く下部が薄い構造である。
【００１７】  以下、本考案の完成形態を図２に基づいて説明する。
【００１８】  １の容器を持ち、２のキャップを回転してゆるめ３は容器からポンプを外す状態を示す。
【００１９】  ４は容器のスクリュー部にいたずら防止用治具の胴部を被せた状態を示し、５はポンプを戻し、６は治具の蓋部を開口部から差し入れた状態を示す。
【００２０】  ７は治具の蓋部から下に伸びる板を胴部とキャップの狭い方の隙間に止まるまで差し込み、９の★印の位置を掴んでキャップを閉める状態を示す。
【００２１】  １０は治具の蓋部を抜き上げ、１１は９０度回転し、１２は胴部とキャップの広い隙間に蓋部から下に伸びる板を差込み完成した状態を示す。また、１３は蓋部を取り外す時の位置を示す。
【実施例】
【産業上の利用可能性】
【符号の説明】
【００２２】図１−１  いたずら防止用治具上面図（胴部）
図１−２  いたずら防止用治具側面断面図長面
図１−３  いたずら防止用治具側面断面図短面
図１−４  いたずら防止用治具上面図（蓋部）
図１−５  いたずら防止用治具側面図長面
図１−６  いたずら防止用治具側面図短面
図２−１  容器面
図１−２  スクリューキャップ部
図２−３  ポンプ部
図２−４  いたずら防止用治具蓋部
図２−５  ポンプ部
図２−６  いたずら防止用治具蓋部
図２−７  ポンプ部
図２−８  いたずら防止用治具蓋部回転方向
図２−９  いたずら防止用治具胴部
図２−１０  ポンプ部
図２−１１  いたずら防止用治具蓋部回転方向
図２−１２  いたずら防止用治具全体図
図２−１３  いたずら防止用治具蓋部上面図
図３−１  容器面
図３−２  スプレー、ポンプ、トリガー部
図３−３  スクリューキャップ回転方向
図４−１  スクリューキャップ回転方向
図４−２  ポンプ部
図４−３  内容物補充位置
【図１】
0003182268.tif 000003
【図２】
0003182268.tif 000004
【図３】
0003182268.tif 000005
【図４】
0003182268.tif 000006
【手続補正書】
【提出日】平成24年10月19日(2012.10.19)
【手続補正１】
【補正対象書類名】実用新案登録請求の範囲
【補正対象項目名】全文
【補正方法】変更
【補正の内容】
【実用新案登録請求の範囲】
【請求項１】
・内容物を充填したスプレー、ポンプ、トリガー付き容器のスクリューキャップ部に、スクリューキャップの外径より内径が大きく、楕円形に成型されたいたずら防止用治具胴部を被せ、前記治具蓋部を取り付けることで、スクリューキャップに直接触れることができず、前記治具を回しても空回りしてスクリューキャップが空けられず、治具蓋部を９０度回転して治具蓋部から下に伸びる板を楕円である治具胴部の狭い隙間に差込むことで、隙間が埋まりスクリューキャップを開閉できることを特徴とするいたずら防止用治具。
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
内容物を充填したスプレー、ポンプ、トリガー付き容器のスクリューキャップ部に被せる治具胴部と、前記治具胴部に取り付けられる治具蓋部と、を備え、前記治具胴部は、前記スクリューキャップ部の外径より大きな内径を有する楕円形に成型されており、前記治具蓋部は、前記治具胴部と前記スクリューキャップ部との隙間に差し込むための一対の板を有することを特徴とするいたずら防止用治具。